(57)【特許請求の範囲】
【請求項１】
人体の後頭部を覆う後部殻体と側頭部を覆う左右の側部殻体との隣接端部同士を固定連結して、人体の頭部に沿う平面視ほぼＣの字状の保護殻体を構成するとともに、前記後部殻体の内面及び各側部殻体の内面には、後部殻体と両側部殻体との各固定連結箇所での弾性変形を許容する状態で緩衝材を取付け、更に、前記各側部殻体の前端側上部には、長さ調節可能なベルトの取付け部を形成してある投手用ヘッドギア。
【請求項２】
前記固定連結箇所の各々の上下幅が、前記保護殻体における各固定連結箇所に隣接する箇所の上下幅よりも小に構成されている請求項１記載の投手用ヘッドギア。
【請求項３】
前記各側部殻体の耳装着相当箇所が、外方に膨出形成されているとともに、前記各側部緩衝材のうち、側部殻体の膨出部に相当する部位の厚みが他の部位よりも大に構成されている請求項１又は２記載の投手用ヘッドギア。
【請求項４】
前記後部殻体及び後部緩衝材には、内外方向で貫通する通気孔が形成されているとともに、前記後部殻体の通気孔周縁の少なくとも一部には、内方に向かって突出する補強リブが形成されている、
又は、前記各側部殻体及び側部緩衝材には、内外方向で貫通する通気孔が形成されているとともに、前記側部殻体の通気孔周縁の少なくとも一部には、内方に向かって突出する補強リブが形成されている請求項１〜３のいずれか１項に記載の投手用ヘッドギア。
【請求項５】
前記後部殻体の頭周方向両端に形成された連結部と、該連結部に対して内外方向から重合する状態で各側部殻体の後端に形成された連結部とのうち、内方側に位置する連結部の重合部分が内方に向かって凹状に窪み形成されているとともに、前記両連結部の上下複数箇所を固定連結する結合手段が設けられている請求項１〜４のいずれか１項に記載の投手用ヘッドギア。
【請求項６】
前記膨出部の耳孔相当箇所には貫通孔が形成され、この貫通孔の周縁には、内方に向かって突出する補強リブが形成されている請求項１〜５のいずれか１項に記載の投手用ヘッドギア。
【請求項７】
前記後部殻体の周縁及び各側部殻体の周縁には、内方に向かって突出する補強リブが形成されている請求項１〜６のいずれか１項に記載の投手用ヘッドギア。
【発明の詳細な説明】
【０００１】
【発明の属する技術分野】
本発明は、打撃練習時に投手の頭部を保護するために用いられる投手用ヘッドギアに関する。
【０００２】
【従来の技術】
従来の投手用ヘッドギアでは、人体の頭部形状に沿って両側頭部から後頭部迄を覆う状態で平面視ほぼＣの字状に一体形成された硬質合成樹脂製の保護殻体の内面に、後頭部の左右中心位置で二分割された左右一対の発泡ポリスチレン製の緩衝材を、それらの隣接端部間に上下方向に沿う溝部を形成する状態で接着するとともに、前記各緩衝材には、保護殻体の耳孔相当箇所に形成された貫通孔よりも大きな耳装着用貫通孔を形成し、更に、前記保護殻体の両前端上部には、長さ調節可能なベルトの取付け部を形成していた（例えば、特許第３００１８７２号公報参照）
【０００３】
【発明が解決しようとする課題】
従来の投手用ヘッドギアでは、両緩衝材の隣接端部間に形成された溝部の存在により、その溝部に相当する後頭部左右中心位置の薄肉部位を起点として保護殻体を縮径側又は拡径側に弾性変形させることができるから、頭の大きさが異なる複数の使用者夫々にフィットした状態で装着することができるものの、装着の度に、保護殻体の両前端部に加えられる縮径側又は拡径側の操作力が、保護殻体の後頭部中心位置の一箇所に集中するため、この応力集中の繰り返しによって保護殻体に割れが発生し易い。
【０００４】
しかも、投手用ヘッドギアを頭部に装着したのち、保護殻体の両前端上部の取付け部に亘って取付けられたベルトを締付け操作すると、左右の緩衝材の後半部が人体の後頭部に接当して、保護殻体の後頭部左右中心位置を起点とする弾性変形が制限されているため、各緩衝材に形成された比較的大きな耳装着用貫通孔に対応する部位をほぼ起点として、保護殻体が縮径側に弾性変形することになり、その結果、各緩衝材の耳装着用貫通孔の周縁に応力集中が発生し、その応力集中の繰り返しによって各緩衝材の耳装着用貫通孔の周縁に割れが発生し易い。
【０００５】
本発明は、上述の実状に鑑みて為されたものであって、その主たる課題は、保護殻体を縮径側又は拡径側に弾性変形操作自在に構成して、頭の大きさが異なる複数の使用者夫々にフィットした状態で装着することができるようにし、かつ、保護殻体全体としての弾性変形量の拡大を図りつつ、保護殻体や緩衝材の割れ発生を抑制することのできる投手用ヘッドギアを提供する点にある。
【０００６】
【課題を解決するための手段】
本発明の請求項１による投手用ヘッドギアの特徴構成は、人体の後頭部を覆う後部殻体と側頭部を覆う左右の側部殻体との隣接端部同士を固定連結して、人体の頭部に沿う平面視ほぼＣの字状の保護殻体を構成するとともに、前記後部殻体の内面及び各側部殻体の内面には、後部殻体と両側部殻体との各固定連結箇所での弾性変形を許容する状態で緩衝材を取付け、更に、前記各側部殻体の前端側上部には、長さ調節可能なベルトの取付け部を形成した点にある。
【０００７】
上記特徴構成によれば、前記後部殻体の内面及び各側部殻体の内面に、打撃球が当たった時の衝撃力を吸収緩和する緩衝材が、後部殻体と両側部殻体との各固定連結箇所での弾性変形を許容する状態で取付けられているから、両側部殻体の前端部に拡径側又は縮径側の操作力を加えると、後部殻体と両側部殻体との各固定連結箇所をほぼ中心にして保護殻体が弾性変形する。
【０００８】
また、投手用ヘッドギアを頭部に装着したのち、両側部殻体の前端上部に亘って取付けられたベルトを締付け操作すると、両側部殻体は、後部殻体の両端部との固定連結箇所をほぼ中心として縮径側に弾性変形する。
【０００９】
従って、保護殻体を縮径側又は拡径側に弾性変形操作自在に構成して、頭の大きさが異なる複数の使用者夫々にフィットした状態で装着することができるようにしながらも、弾性変形の中心となる箇所を頭周方向の二個所、つまり、人体の後頭部と側頭部との境界相当箇所に分散することにより、保護殻体全体としての弾性変形量の拡大を図りつつ、保護殻体や緩衝材の割れ発生を抑制することができる。
本発明の請求項２による投手用ヘッドギアの特徴構成は、前記固定連結箇所の各々の上下幅が、前記保護殻体における各固定連結箇所に隣接する箇所の上下幅よりも小に構成されている点にある。
【００１０】
本発明の請求項３による投手用ヘッドギアの特徴構成は、前記各側部殻体の耳装着相当箇所が、外方に膨出形成されているとともに、前記各側部緩衝材のうち、側部殻体の膨出部に相当する部位の厚みが他の部位よりも大に構成されている点にある。
【００１１】
上記特徴構成によれば、前記各側部殻体の耳装着相当箇所を外方に膨出形成することによる機械的強度向上と、各側部緩衝材の耳装着相当箇所の厚みを他の部位の厚みよりも大に構成することによる衝撃吸収緩和能力の向上との相乗作用により、各側部殻体及び各側部緩衝材の耳孔相当箇所に貫通孔を形成した場合でも、所期の頭部保護機能を確実に発揮させることができる。
【００１２】
それでいて、前記側部殻体の膨出部における膨出代を側部緩衝材の厚み増加代とすることにより、各側部緩衝材が内方側に張出すことが無く、投手用ヘッドギアの脱着を容易に行なうことができる。
【００１３】
更に、前記各側部殻体の耳装着相当箇所に膨出部を形成しながらも、保護殻体自体が後部殻体と左右の側部殻体とに分割されているから、側部殻体を簡易な成形装置で安価に製造することができる。
【００１４】
また、前記後部殻体及び後部緩衝材に、内外方向で貫通する通気孔が形成されているとともに、前記後部殻体の通気孔周縁の少なくとも一部には、内方に向かって突出する補強リブが形成されていてもよい。
【００１５】
上記構成によれば、投手用ヘッドギアの通気性能の向上と軽量化とを図ることができるとともに、後部殻体の通気孔周縁の少なくとも一部に突出形成された補強リブを、後部緩衝材の移動を規制する位置決め突起に兼用することができるから、後部緩衝材の取付け作業の容易化と取付け強度の向上とを図ることができる。
【００１６】
また、前記各側部殻体及び側部緩衝材に、内外方向で貫通する通気孔が形成されているとともに、前記側部殻体の通気孔周縁の少なくとも一部には、内方に向かって突出する補強リブが形成されていてもよい。
【００１７】
上記構成によれば、投手用ヘッドギアの通気性能の向上と軽量化とを図ることができるとともに、側部殻体の通気孔周縁の少なくとも一部に突出形成された補強リブを、側部緩衝材の移動を規制する位置決め突起に兼用することができるから、側部緩衝材の取付け作業の容易化と取付け強度の向上とを図ることができる。
本発明の請求項４による投手用ヘッドギアの特徴構成は、前記後部殻体及び後部緩衝材には、内外方向で貫通する通気孔が形成されているとともに、前記後部殻体の通気孔周縁の少なくとも一部には、内方に向かって突出する補強リブが形成されている、
又は、前記各側部殻体及び側部緩衝材には、内外方向で貫通する通気孔が形成されているとともに、前記側部殻体の通気孔周縁の少なくとも一部には、内方に向かって突出する補強リブが形成されている点にある。
【００１８】
本発明の請求項５による投手用ヘッドギアの特徴構成は、前記後部殻体の頭周方向両端に形成された連結部と、該連結部に対して内外方向から重合する状態で各側部殻体の後端に形成された連結部とのうち、内方側に位置する連結部の重合部分が内方に向かって凹状に窪み形成されているとともに、前記両連結部の上下複数箇所を固定連結する結合手段が設けられている点にある。
【００１９】
上記特徴構成によれば、後部殻体の連結部と各側部殻体の連結部とのうち、内方側に位置する連結部の重合部分が凹状に窪み形成されているから、後部殻体と両側部殻体とを段差の無い又は少ない状態で固定連結することができるとともに、内方側に位置する連結部の凹状重合部分によって、外方側に位置する連結部の取付け位置を規制することができるから、取付け作業の容易化と取付け強度の向上とを図ることができる。
【００２０】
本発明の請求項６による投手用ヘッドギアの特徴構成は、前記膨出部の耳孔相当箇所に貫通孔が形成され、この貫通孔の周縁には、内方に向かって突出する補強リブが形成されている点にある。
【００２１】
上記特徴構成によれば、前記各側部殻体の耳装着相当箇所を外方に膨出形成することと、膨出部の貫通孔周縁に補強リブを突出形成することとの相乗作用による機械的強度の向上により、各側部殻体及び各側部緩衝材の耳孔相当箇所に貫通孔が形成されていても、所期の頭部保護機能を確実、良好に発揮させることができる。
【００２２】
本発明の請求項７による投手用ヘッドギアの特徴構成は、前記後部殻体の周縁及び各側部殻体の周縁に、内方に向かって突出する補強リブが形成されている点にある。
【００２３】
上記特徴構成によれば、保護殻体を構成する後部殻体及び両側部殻体の機械的強度の向上を図ることができるとともに、各殻体の周縁に突出形成された補強リブを、各緩衝材の移動を規制する位置決め突起に兼用することができるから、各緩衝材の取付け作業の容易化を図ることができる。
【００２４】
【発明の実施の形態】
〔第１実施形態〕
図１〜図１１は、打撃練習時に投手の頭部を保護するべく、帽子Ｂの上から脱着自在に装着される投手用ヘッドギアを示し、人体の後頭部を覆う硬質合成樹脂製の後部殻体１と側頭部を覆う左右の硬質合成樹脂製の側部殻体２との隣接端部同士を結合手段３で固定連結して、人体の頭部に沿う平面視ほぼＣの字状の保護殻体Ａが構成されているとともに、前記後部殻体１の内面及び各側部殻体２の内面には、発泡ポリスチレン等の発泡合成樹脂で夫々成形された後部緩衝材４及び側部緩衝材５が接着剤等で取付けられ、この後部緩衝材４の頭周方向両端と両側部緩衝材５の後端との各隣接間には、後部殻体１と両側部殻体２との各固定連結箇所を中心とする拡径側及び縮径側への弾性変形を許容する溝状の空隙部Ｓが形成され、更に、前記各側部殻体２の前端側上部には、長さ調節手段６Ａを備えた弾性のあるベルト６の取付け部７が形成されている。
【００２５】
そして、前記後部殻体１の内面及び各側部殻体２の内面に対して、打撃球が当たった時の衝撃力を吸収緩和する後部緩衝材４及び側部緩衝材５が、後部殻体１と両側部殻体２との各固定連結箇所での弾性変形を許容する状態で取付けられているから、両側部殻体２の前端部に拡径側又は縮径側の操作力を加えると、後部殻体１と両側部殻体２との各固定連結箇所をほぼ中心にして保護殻体Ａが弾性変形する。また、投手用ヘッドギアを頭部に装着したのち、両側部殻体２の前端上部に亘って取付けられたベルト６を締付け操作すると、両側部殻体２は、後部殻体１の両端部との固定連結箇所をほぼ中心として縮径側に弾性変形する。
【００２６】
図１、図３〜図７に示すように、前記各側部殻体２の下半部で、かつ、側面視においてほぼ横長楕円形状を呈する耳装着相当箇所２ａが、外方に向かって円弧状に膨出形成され、この膨出部２ａの耳孔相当箇所には内外方向で貫通するほぼ横長矩形状の貫通孔２ｂが形成されているとともに、前記各側部緩衝材５のうち、側部殻体２の膨出部２ａに相当する部位の厚みｔ１が他の部位の厚みｔ２よりも大に構成されている。
【００２７】
それ故に、前記各側部殻体２の耳装着相当箇所２ａを外方に膨出形成することによる機械的強度向上と、各側部緩衝材５の耳装着相当箇所の厚みｔ１を他の部位の厚みｔ２よりも大に構成することによる衝撃吸収緩和能力の向上との相乗作用により、各側部殻体２及び各側部緩衝材５の耳孔相当箇所に亘って連通する貫通孔２ｂ，５ａを形成してある場合でも、所期の頭部保護機能を確実に発揮させることができる。それでいて、前記側部殻体２の膨出部２ａにおける膨出代を側部緩衝材５の厚み増加代とすることにより、各側部緩衝材５が内方側に張出すことが無く、投手用ヘッドギアの脱着を容易に行なうことができるのである。
【００２８】
図１、図６、図７、図１１に示すように、前記各側部緩衝材５の耳装着相当箇所には、貫通孔２ｂに連通する状態でそれよりも大きな耳装着用貫通孔５ａが形成されているとともに、この耳装着用貫通孔５ａの下半側周縁に沿う各側部緩衝材５の内面部分には、投手用ヘッドギアの脱着を無理なく容易に行なうためのスポンジやゴム等の柔軟な帯状の内装表面材８が接着剤で貼着されている。
【００２９】
また、図１、図６、図７、図１０に示すように、前記各側部殻体２の上半部及び側部緩衝材５の上半部で、かつ、頭周方向に間隔を隔てた三ケ所には、内外方向で連通する傾斜姿勢の矩形状の第１通気孔２ｃ，５ｃが貫通形成され、前記側部殻体２の第１通気孔２ｃ周縁の一部には、内方に向かって突出する第１補強リブ２ｄが形成されているとともに、前記各側部殻体２の後端には、該側部殻体２の上下幅よりも小なる上下幅に構成された連結部２Ａが一体形成されている。
【００３０】
そして、前記第１通気孔２ｃ，５ｃによって、投手用ヘッドギアの通気性能の向上と軽量化とを図ることができるとともに、側部殻体２の通気孔２ｃ周縁の一部に突出形成された第１補強リブ２ｄを、側部緩衝材５の移動を規制する位置決め突起に兼用することができるから、側部緩衝材５の取付け作業の容易化と取付け強度の向上とを図ることができる。
【００３１】
更に、図７、図１１に示すように、前記各側部殻体２の貫通孔２ｂの周縁には、内方に向かって突出する第２補強リブ２ｅが一体形成されているとともに、各側部殻体２の周縁には、内方に向かって突出する第３補強リブ２ｆが一体形成されていて、この第３補強リブ２ｆが、側部緩衝材５の移動を規制する位置決め突起に兼用構成されている。
【００３２】
図４，図６に示すように、前記後部殻体１の頭周方向中央部及び後部緩衝材４の頭周方向中央部で、かつ、上下方向に間隔を隔てた二ケ所には、内外方向で連通する水平姿勢の矩形状の第２通気孔１ａ，４ａが貫通形成されているとともに、前記後部殻体１の第２通気孔１ａ周縁には、内方に向かって突出する第４補強リブ１ｂが一体形成されていて、この第４補強リブ１ｂが、後部緩衝材４の移動を規制する位置決め突起に兼用構成されている。
【００３３】
また、前記後部殻体１の頭周方向両端部には、図８〜図１０に示すように、各側部殻体２の連結部２Ａと内外方向から重合状態で固定連結される連結部１Ａが一体形成され、この連結部１Ａの重合部分１ｃが、内方に向かって凹状に窪み形成されているとともに、前記連結部１Ａの重合部分１ｃの上下二箇所、及び、各側部殻体２の連結部２Ａの上下二箇所には、結合手段３を構成するリベットの挿通孔１ｅ，２ｇが貫通形成され、更に、前記連結部１Ａの重合部分１ｃの挿通孔１ｅ周縁部には、側部殻体２の連結部２Ａに内外方向から接当する補強筒部１ｄが一体形成されているとともに、前記後部殻体１の外周縁には、内方に向かって突出する第５補強リブ１ｆが一体形成されている。
【００３４】
そして、前記連結部１Ａの重合部分１ｃを、内方に向かって凹状に窪み形成することによって、後部殻体１と両側部殻体２とを段差の無い又は少ない状態で固定連結することができるとともに、内方側に位置する後部殻体１側の連結部１Ａの凹状重合部分１ｃによって、外方側に位置する側部殻体２側の連結部２Ａの取付け位置を規制することができるから、取付け作業の容易化と取付け強度の向上とを図ることができる。
【００３５】
前記取付け部７は、図１〜図３、図５に示すように、側部殻体２の前端側上部に貫通形成したベルト挿通孔７ａと、このベルト挿通孔７ａに相対向する後部緩衝材４の外面部分に形成したベルト挿通溝７ｂとから構成されている。
【００３６】
前記ベルト６には、長さ調節手段６Ａを構成するバックルが設けられていて、このバックル６Ａを締付け操作すると、保護殻体Ａを構成する後部殻体１と両側部殻体２とがそれらの各固定連結箇所を中心として縮径側に弾性変形され、両側部殻体２の前端部における開口幅が調節される。
【００３７】
前記後部殻体１及び両側部殻体２を構成する硬質合成樹脂としては、ポリカーボネイト、ポリアミドエラストマー等がある。
【００３８】
〔その他の実施形態〕
（１）上述の第１実施形態では、後部緩衝材４の頭周方向両端と両側部緩衝材５の後端との各隣接間に、溝状の空隙部Ｓを形成して、後部殻体１と両側部殻体２との各固定連結箇所での拡径側及び縮径側への弾性変形を許容するように構成したが、後部緩衝材４と両側部緩衝材５との隣接端部に、後部殻体１と両側部殻体２との各固定連結箇所での拡径側及び縮径側の弾性変形を許容するスポンジ等の柔軟な弾性変形許容層を設けてもよい。
【００３９】
（２）上述の第１実施形態では、後部殻体１の連結部１Ａと側部殻体２の連結部２Ａとの上下二箇所を、結合手段３を構成するリベットで固定連結したが、このリベット３による固定連結数は、三ケ所以上であってもよい。
【００４０】
（３）上述の第１実施形態では、後部殻体１の連結部１Ａと側部殻体２の連結部２Ａとをリベット３で固定連結したが、鳩目やネジ等の他の結合手段３で固定連結するように構成してもよい。
【００４１】
（４）前記ベルト６としては、ボタンや面ファスナー等の他の長さ調節手段６Ａを備えたものを用いて実施してもよい。
【００４２】
（５）上述の第１実施形態では、前記後部殻体１の第２通気孔１ａの周縁全域に、内方に向かって突出する第４補強リブ１ｂを一体形成したが、この第４補強リブ１ｂを、後部殻体１の第２通気孔１ａ周縁の一部に突出形成して実施してもよい。
【００４３】
（６）上述の第１実施形態では、前記側部殻体２の第１通気孔２ｃ周縁の一部に、内方に向かって突出する第１補強リブ２ｄを一体形成したが、この第１補強リブ２ｄを、側部殻体２の第１通気孔２ｃ周縁の全域に突出形成してもよい。
【００４４】
（７）上述の第１実施形態では、前記後部殻体１の頭周方向両端に形成された連結部１Ａと、該連結部１Ａに対して内外方向から重合する状態で各側部殻体２の後端に形成された連結部２Ａとのうち、後部殻体１側の連結部１Ａを内方側に配置して、この連結部１Ａの重合部分１ｃを内方に向かって凹状に窪み形成したが、側部殻体２側の連結部２Ａを内方側に配置して、この連結部２Ａの重合部分を内方に向かって凹状に窪み形成してもよい。
【００４５】
（８）前記各側部殻体２の前端側上部に形成されるベルト６の取付け部７としては、上述の第１実施形態の構造のものに限定されるものではなく、ベルト６を長さ調節可能な状態で取付け得るものであれば、如何なる構造の取付け部７を採用してもよい。
【図面の簡単な説明】
【図１】本発明の投手用ヘッドギアの第１実施形態を示す全体の斜視図
【図２】全体の側面図
【図３】全体の正面図
【図４】全体の背面図
【図５】全体の平面図
【図６】図３におけるＶＩ−ＶＩ線断面図
【図７】図２におけるＶＩＩ−ＶＩＩ線断面図
【図８】図４のＶＩＩＩ−ＶＩＩＩ線における両殻体の固定連結部の断面図
【図９】後部殻体の背面図
【図１０】側部殻体の側面図
【図１１】図１０のＸＩ−ＸＩ線における側部殻体と側部緩衝材の断面図
【符号の説明】
Ａ      保護殻体
１      後部殻体
１Ａ    連結部
１ａ    通気孔（第２通気孔）
１ｂ    補強リブ（第４補強リブ）
１ｃ    重合部分
１ｆ    補強リブ（第５補強リブ）
２      側部殻体
２Ａ    連結部
２ａ    膨出部
２ｂ    貫通孔
２ｃ    通気孔（第１通気孔）
２ｄ    補強リブ（第１補強リブ）
２ｅ    補強リブ（第２補強リブ）
２ｆ    補強リブ（第３補強リブ）
３      結合手段
４      後部緩衝材
４ａ    通気孔（第２通気孔）
５      側部緩衝材
５ｃ    通気孔（第１通気孔）
６      ベルト
７      取付け部
【図１】
0004446576.tif 000002
【図２】
0004446576.tif 000003
【図３】
0004446576.tif 000004
【図４】
0004446576.tif 000005
【図５】
0004446576.tif 000006
【図６】
0004446576.tif 000007
【図７】
0004446576.tif 000008
【図８】
0004446576.tif 000009
【図９】
0004446576.tif 000010
【図１０】
0004446576.tif 000011
【図１１】
0004446576.tif 000012